(57)【要約】      （修正有）【課題】施工性に優れ、施工直後から壁状の緑化が可能な技術を提供する。【解決手段】植物を生育する植生基盤が充填され、多面を有する緑化装置１であって、前記植生基盤に植物が予め植えられ、当該植物が絡む植生面を有するユニットと、前記ユニットと接続自在であり、少なくとも当該緑化装置の一面を含む連結体と、前記ユニットと前記連結体とを接続する接続部材と、を備え、当該緑化装置１は、垂直方向に接続自在である。【選択図】図１
2014143936.tif 000002
【特許請求の範囲】
【請求項１】
植物を生育する植生基盤が充填され、多面を有する緑化装置であって、
前記植生基盤に植物が予め植えられ、当該植物が絡む植生面を有するユニットと、
前記ユニットと接続自在であり、少なくとも当該緑化装置の一面を含む連結体と、
前記ユニットと前記連結体とを接続する接続部材と、を備え、
当該緑化装置は、垂直方向に接続自在である緑化装置。
【請求項２】
前記植生基盤の下方に設けられた空間によって構成される空間部を更に備える、請求項１に記載の緑化装置。
【請求項３】
当該緑化装置は、緑化する構造物と固定される、請求項１又は２に記載の緑化装置。
【請求項４】
植物を生育する植生基盤が充填され、多面を有する緑化装置を用いた緑化方法であって、
前記緑化装置は、
植物が予め植えられた植生面を有し、かつ、内部に前記植生基盤が充填されたユニットと、
前記ユニットと接続自在であり、少なくとも当該緑化装置の一面を含む連結体と、前記ユニットと前記連結体とを接続する接続部材と、を備え、
当該緑化方法は、
前記ユニットを組み立て、植物を植え付けて養生する養生工程と、
前記養生工程で養生されたユニットと、前記連結体とを前記接続部材で接続して複数の緑化装置を組み立て、複数の緑化装置を垂直方向に接続して、壁面を形成する設置工程と、を有する、緑化方法。
【発明の詳細な説明】
【技術分野】
【０００１】
本発明は、緑化装置、及び緑化方法に関する。
【背景技術】
【０００２】
各種植物を植生する鉢容器として、多種多様の形状や寸法のものが提案されている。例えば、特許文献１には、多数の面に植物を立体的に植生するための多面緑化体用容器が開示されている。この容器は、四角形の複数の側面を有している。また、容器の複数の側面に、基盤マットに植物を予め植生した植生ブロックマットが収容されている。また、植生ブロックマットの内側には、軽量土壌が充填され、容器の複数の側面と天面には、植物が植えられている。
【０００３】
一方で、壁面緑化が普及しつつある。特許文献２には、建設現場を外部と区画するために設けられる仮囲いの内側に沿って枠組足場を立設し、該枠組足場の上部に、プランターと、該プランターを収納すべく上部が開口した函形のプランター部と、プランターに植生する植物を登はんさせるためのメッシュを張設したパネル部とから構成されるプランターユニットを仮設し、プランターの植物を、仮設場所において先行栽培して、メッシュに植物を登はんさせ、当該植物を先行栽培したプランターユニットを、建物壁面に沿って設けた足場解体時に、枠組足場から取り外して揚重し、建物壁面の所定の設置位置に移設する技術が開示されている。
【特許文献１】実用新案登録第３１０６１６０号公報
【特許文献２】特開２０１２−１９１８６０号公報
【発明の概要】
【発明が解決しようとする課題】
【０００４】
各種植物を植生する鉢容器として、多種多様の形状や寸法のものが提案されている。一方で、近年、壁面緑化が普及しつつある。壁面緑化に関する従来技術の一例として、プランターに植生する植物を登はんさせるためのメッシュをプランターに張設したプランターユニットを仮設し、プランターの植物を、仮設場所において先行栽培する技術がある。しかしながら、この従来技術は、枠組足場の上部に仮設した仮設場所で先行栽培するもので、現場で植生を行う必要がある。そのため、現場での作業工程が多く、また、植物が壁面を十分に覆うまでに時間を要する。
【０００５】
本発明は、上記の問題に鑑み、施工性に優れ、施工直後から壁状の緑化が可能な技術を提供することを課題とする。
【課題を解決するための手段】
【０００６】
本発明は、上述した課題を解決するために、緑化装置を植物が予め植えられた植生面を有するユニットと当該ユニットと接続される連結体によって構成し、かつ、緑化装置を垂直方向に接続自在とした。
【０００７】
詳細には、本発明は、植物を生育する植生基盤が充填され、多面を有する緑化装置であって、前記植生基盤に植物が予め植えられ、当該植物が絡む植生面を有するユニットと、前記ユニットと接続自在であり、少なくとも当該緑化装置の一面を含む連結体と、前記ユニットと前記連結体とを接続する接続部材と、を備え、当該緑化装置は、垂直方向に接続自在である。
【０００８】
本発明によれば、ユニットが植生基盤に植物が予め植えられ当該植物が絡む植生面を有
することから、設置場所において植物を植える手間を省くことができ、施工性が向上する。また、植物の植えつけは、熟練度によって完成後の見栄えや植物の生育に影響を与えることが懸念されるが、本発明ではユニットが予め植物が絡む植生面を有することからそのような懸念も解消される。また、本発明に係る緑化装置は、ユニットが予め植物が絡む植生面を備えることで設置当初から緑化効果を得ることができ、また、美観にも優れている。ユニットは、設置場所とは異なる場所で組み立て、植物を植えつけることが好ましい。これにより、設置場所における作業負担を軽減することができる。また、設置場所に植物を育成するための場所を確保する必要もない。また、本発明に係る緑化装置は、育成中、少なくとも一面を開放した状態とすることができる。そのため、植物の手入れなどを開放された一面から容易に行うことができる。一面は、後面又は側面とすることができるが、後面とすることがより好ましい。
【０００９】
植生基盤とは、緑化装置に植えられる植物を生育するための土台を意味する。植生基盤は、保水性の高い軽量土壌を用いることが好ましいが、植物を生育できるものであればよい。本発明に係る緑化装置は、多面構造とすることができる。面数は、限定されないが、例えば、緑化装置は６面体とすることができる。
【００１０】
ここで、本発明に係る緑化装置は、前記植生基盤の下方に設けられた空間によって構成される空間部を更に備えるものでもよい。空間部を備えることで、緑化装置を垂直方向に重ねる際、下側に位置する緑化装置との接続や、緑化装置を地面に固定する際、地面に設けられた緑化装置を固定するための固定装置との接続が容易となる。その結果、施工性が向上する。
【００１１】
また、本発明に係る緑化装置は、緑化する構造物と固定されるようにしてもよい。これにより、特に緑化装置を垂直方向に重ねた場合において、緑化装置の安定性が向上する。
【００１２】
また、前記植生面は、横方向に延出する波状の横部材であって、縦方向に複数配置される横部材と、前記横部材と直交するように該横部材と接続される縦部材とを有し、前記複数の横部材は、前記枠体の側面と直交する方向において波状であり、波の周期が縦方向において一致している構成としてもよい。本発明に係る緑化装置では、横部材が波状に形成される、換言すると、横方向において、凹部と凸部が交互に配置される。また、波が縦方向において周期が一致している。つまり、凹部や凸部が縦方向において直線状に並んでいる。換言すると、凹部や凸部内に形成される空間が、縦方向において、直線状に形成される。その結果、空間が形成されることで、植物がより絡みやすくなり、また、その空間が縦方向に直線状に形成されることで、絡まった植物の上方が開放され、植物の育成方向が妨げられることもない。よって、本発明に係る緑化装置は、植物が絡みやすく、生育するうえで良好な環境を提供することができる。更に、本発明に係る緑化装置は、植物が絡みやすいことから、植生面が均一にむらなく植物により被覆され、美観にも優れている。
【００１３】
ここで、本発明は、緑化方法として特定することもできる。具体的には、本発明は、植物を生育する植生基盤が充填され、多面を有する緑化装置を用いた緑化方法であって、前記緑化装置は、植物が予め植えられた植生面を有し、かつ、内部に前記植生基盤が充填されたユニットと、前記ユニットと接続自在であり、少なくとも当該緑化装置の一面を含む連結体と、前記ユニットと前記連結体とを接続する接続部材と、を備え、当該緑化方法は、前記ユニットを組み立て、植物を植え付けて養生する養生工程と、前記養生工程で養生されたユニットと、前記連結体とを前記接続部材で接続して複数の緑化装置を組み立て、複数の緑化装置を垂直方向に接続して、壁面を形成する設置工程と、を有する。
【００１４】
本発明に係る緑化方法によれば、ユニットが植生基盤に植物が予め植えられ当該植物が絡む植生面を有することから、設置場所において植物を植える手間を省くことができ、施
工性が向上する。また、予め植物が絡む植生面を備えることで設置当初から緑化効果を得ることができ、また、美観にも優れている。養生工程は、設置場所とは異なる場所で行うことが好ましい。これにより、設置場所における作業負担を軽減することができ、設置場所に植物を育成するための場所を確保する必要もない。また、本発明に係る緑化装置は、育成中、少なくとも一面を開放した状態とすることができる。そのため、植物の手入れなどを開放された一面から容易に行うことができる。
【発明の効果】
【００１５】
本発明によれば、施工性に優れ、施工直後から壁状の緑化が可能な技術を提供することができる。
【図面の簡単な説明】
【００１６】
【図１】図１は、実施形態に係る緑化装置の設置状況の一例の斜視図を示す。
【図２Ａ】図２Ａは、実施形態に係る緑化装置の設置状況の一例の断面図を示す。
【図２Ｂ】図２Ｂは、実施形態に係る緑化装置の設置状況の一例の拡大正面図を示す。
【図２Ｃ】図２Ｃは、実施形態に係る緑化装置の設置状況の一例の上面図を示す。
【図３】図３は、実施形態に係る緑化装置の斜視図を示す。
【図４】図４は、実施形態に係る緑化装置の断面図を示す。
【図５】図５は、実施形態に係るユニットの分解斜視図を示す。
【図６】図６は、実施形態に係る緑化方法の工程図を示す。
【図７】図７は、実施形態に係るユニット及び連結体が接続部材で接続される様子を示す。
【図８】図８は、実施形態に係る緑化装置が垂直方向に設置される様子を示す。
【図９】図９は、他の実施形態に係る緑化装置の設置状況を示す。
【図１０】図１０は、実施形態に係る灌水システムの一例を示す。
【発明を実施するための形態】
【００１７】
次に、本発明の実施形態について図面を基づいて説明する。なお、以下で説明する実施形態は本発明を実施するための例示であり、本発明は以下で説明する態様に限定されない。
【００１８】
＜構成＞
図１、図２Ａ、図２Ｂ、図２Ｃに示すように、実施形態に係る緑化装置１は、地面８に建つ建物９の前側を緑化する。複数の緑化装置１が水平方向、及び垂直方向に設置されることで、建物９の前側に一つの壁が形成されている。また、緑化装置１は、建物９と固定されることで、安定性が確保されている。なお、図１では、建物９の前側の一部を覆うように設けられているが、緑化装置１により、建物９の前側の全てを覆うようにしてもよい。また、緑化装置１は、建物９の側面や後側を覆ってもよい。以下、詳細に説明する。
【００１９】
図３は、実施形態に係る緑化装置の斜視図を示し、図４は、実施形態に係る緑化装置の断面図を示す。緑化装置１は、ユニット２、及び連結体３を備え、接続部材４によってユニット２と連結体３が互いに接続されている。緑化装置１のユニット２の前面、及び側面には、予め植物５が絡む植生面が設けられており、このようなユニット２と格子状のパネルからなる連結体３とを接続することで、緑化装置１が構成され、緑化装置１の設置直後から緑化効果を得ることができる。本実施形態では、植生面積が相対的に大きい植生面を正面として説明する。
【００２０】
緑化装置１は、正面、背面、上面、下面、二つの側面の６面からなる箱型形状（６面体）である。実施形態では、各面の平面形状を四角形としたが、各面の平面形状は、四角形
以外の多角形としてもよい。また、緑化装置１は、６面体以外の多面体構造としてもよい。
【００２１】
ここで、図５は、実施形態に係るユニット２の分解斜視図を示す。ユニット２は、ユニット金網２０、マット２１、軽量土壌２２を備える。ユニット金網２０は、大きさの異なる何れも長方形からなる、ユニット金網正面２０ａ、ユニット金網側面２０ｂ、ユニット金網背面２０ｃ、ユニット金網下面２０ｄによって構成されている。ユニット金網正面２０ａは、面積が最も大きく、水平方向の両端部に、ユニット金網側面２０ｂが夫々接続されている。また、ユニット金網正面２０ａの下端よりやや上の位置にユニット金網下面２０ｄが接続されている。ユニット金網下面２０ｄは、ユニット金網正面２０ａ、ユニット金網側面２０ｂ、及びユニット金網背面２０ｃと接続されている。ユニット金網背面２０ｃは、軽量土壌２２を収容するために必要な高さを有しており、ユニット金網正面２０ａや、ユニット金網側面２０ｂよりも低く形成されている。ユニット２は、上部及び背面が開放され、背面には連結体３が接続される。
【００２２】
ユニット金網２０のうち、ユニット金網正面２０ａ、及びユニット金網側面２０ｂは、平板状の金網に対して折り曲げ加工と溶接が施されることで、各面が形成されている。金網の材質は、例えば、亜鉛とアルミニウム合金メッキの鉄線とすることができる。ユニット金網２０は、格子の横方向を構成する横部材が、折り曲げ加工が施されることで、波状に形成されている。これに対し、格子の縦方向を構成する縦部材は、直線状である。横部材の波状のうち、ユニット２から外側に向けて突出した突出部２４が縦方向に直線状に並ぶように、突出部２４と突出部２４との間において、縦部材と横部材とが溶接によって接続されている。横部材が突出部２４を有することで、横部材とマット２１の表面との間に空間が形成され、植物５がユニット金網２０に対して絡みやすくなる。ユニット２には、蔓類の植物５を植えつけることが好ましく、突出部２４を縦方向に直線状に配置することで上方に延びる蔓類が絡みやすくなる。一方、ユニット金網背面２０ｃ、及びユニット金網下面２０ｄは、突出部２４がないフラットな構成であり、ユニット金網正面２０ａ、及び、ユニット金網側面２０ｂよりも簡易な構成となっている。なお、ユニット金網下面２０ｄも、ユニット金網正面２０ａ、及び、ユニット金網側面２０ｂと同様、突出部２４を備える金網によって構成してもよい。
【００２３】
上記のように、ユニット金網下面２０ｄは、ユニット金網正面２０ａの下端よりやや上の位置でユニット金網正面２０ａ及び、ユニット金網側面２０ｂと接続されている。その結果、ユニット２の下部には、空間２５が形成されている。そのため、緑化装置１の下端に接続部材４や他の固定部材を接続することが可能となり、施工性が向上する。例えば、緑化装置１を垂直方向に重ねて接続する際、ユニット２の下部に空間２５があることで、下側に位置する緑化装置１の上端と上側に接続される緑化装置１の下端とを接続部材４を介して接続することが可能となる。また、緑化装置１を接続や、地面８に設けられた緑化装置１を固定するための固定装置との接続が容易となる。その結果、施工性が向上する。
【００２４】
マット２１は、ユニット金網２０の内側に配置され、充填される植生基盤としての軽量土壌２２が外部に漏れるのを抑制する。マット２１は、ユニット金網正面２０ａの内側に設けられるマット正面２１ａ、ユニット金網側面２０ｂの内側に設けられるマット側面２１ｂ、ユニット金網背面２０ｃの内側に設けられるマット背面２１ｃ、ユニット金網下面２０ｄの内側に設けられるマット下面２１ｄを有する。実施形態では、軽量土壌２２の上面にマット２１は設けられていないが、上面にもマット２１を設けてもよい。また、マット２１に代えて、砕石等を敷設してもよい。マット２１は、通気性と軽量土壌２２を保持する強度を有していればよく、本実施形態ではマット２１にファイバーマットが用いられている。ファイバーマットは、ポリエステルシートと天然椰子繊維からなるシートを張り合わせることで構成されている。なお、ファイバーマットに代えてリサイクルＰＥＴから
なるシートやフェルトを用いてもよい。また、マット２１の形状は、ユニット金網２０の各面の形状に合わせればよく、本実施形態では、各マットは大きさが異なる長方形によって構成されている。
【００２５】
マット２１のうち、マット正面２１ａ、及びマット側面２１ｂには予め植物５が植えられている。具体的には、マット正面２１ａ、及びマット側面２１ｂには、複数の切り込み（図示せず）が形成されており、この切り込みから植物５の根が軽量土壌２２に植えつけてある。なお、他のマットについては、緑化装置１の設置状況に応じて適宜切り込みを設け、植物５を植えつければよい。マット正面２１ａ、及びマット側面２１ｂなど、天面以外に植生される植物５には、蔓性植物としてのテイカカズラが例示される。また、天面に植生される植物５には、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草木が例示される。
【００２６】
軽量土壌２２は、ユニット２内に充填され、ユニット２に植えられる植物５に対して水分を供給する。本実施形態では、本発明の植生基盤として保水性に優れた無機質の軽量土壌を用いているが、軽量土壌に代えて既存の他の土壌を用いてもよい。
【００２７】
連結体３は、緑化装置１の背面に設けられ、ユニット２の背面のうち、ユニット金網背面２０ｃが設けられていない、開放された領域を覆う。連結体３は、突出部２４がないフラットな構成であり、ユニット金網正面２０ａ、及び、ユニット金網側面２０ｂよりも簡易な構成となっている。なお、連結体３も、ユニット金網正面２０ａ、及び、ユニット金網側面２０ｂと同様、突出部２４を備える金網によって構成してもよい。また、本実施形態では、連結体３を一枚のフラットな金網によって構成したが、緑化装置１の側面を連結体で構成してもよい。すなわち、連結体３は、上面視において、Ｌ字状やＣ字状としてもよい。また、本実施形態では、ユニット金網背面２０ｃの上端に連結体３の下端が接続されているが、連結体３をユニット金網正面２０ａと同面積とし、連結体３の下部をユニット金網背面２０ｃに重ねた状態で連結体３をユニット２と接続するようにしてもよい。
【００２８】
接続部材４は、ユニット２を構成するユニット金網同士、ユニット２と連結体３、緑化装置１同士を接続する。接続部材４は、ユニット金網２０等と同素材であり、螺旋形状を有する。接続部材４は、例えばユニット金網正面２０ａの幅方向の両端部と、ユニット金網側面２０ｂの正面側の端部とが接する状態で、接続部材４の軸方向を中心に接続部材４を回転させ、接続部材４の先端を金網の格子に順次通していくことで、ユニット金網正面２０ａと、ユニット金網側面２０ｂとの接続が可能となる。接続部材４は、螺旋形状を有する上記接続部材４に代えて、ユニット金網を挟み込んで固定するクリップ、ユニット金網を結束する結束クリップなどを用いてもよい。
【００２９】
＜緑化方法＞
次に、上述した緑化装置１を用いた緑化方法について説明する。図６は、実施形態に係る緑化方法の工程図を示す。なお、図６に示す緑化方法の工程順序は一例であり、工程順序は適宜入れ替えることができる。
【００３０】
養生工程（ステップＳ０１）では、ユニット２が組み立てられ、組み立てられたユニット２に植物５が植えられ、一定期間育てられる。ユニット２の組み立ては、ユニット金網正面２０ａ、ユニット金網背面２０ｃを対向し、ユニット金網正面２０ａの両端部と、ユニット金網側面２０ｂの正面側の端部が接し、ユニット金網背面２０ｃの両端部と、ユニット金網側面２０ｂの背面側の端部が接する状態で、上記各端部を通るように螺旋形状の接続部材４により固定される。ユニット金網下面２０ｄは、ユニット２の下部に空間２５が形成される位置において、ユニット金網正面２０ａ、ユニット金網側面２０ｂ、及びユ
ニット金網背面２０ｃの夫々と、接続部材４により固定される。接続部材４は、接続部材４の軸方向を中心に回転することで、接続部材４の先端がユニット金網２０の格子に順次通り、ユニット金網２０の端部同士を拘束する。ユニット金網２０を組み立て、接続部材４で固定することで、ユニット金網正面２０ａ、ユニット金網側面２０ｂ、ユニット金網背面２０ｃ、及びユニット金網下面２０ｄの内側に軽量土壌２２を充填する領域が形成される。この領域に、マット２１が設置される。マット２１が設置されると、マット２１の内側に軽量土壌２２が充填され、植物５が植えられる。マット正面２１ａ、及びマット側面２１ｂには、複数の切り込みが形成されており、この切り込みから植物５の根を軽量土壌２２に植えつけることができる。マット正面２１ａ、及びマット側面２１ｂには、蔓性植物としてのテイカカズラが植えられ、天面には、例えば、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどが植えられる。なお、ユニット２は、背面が開放されていることから、天面への植物５の植え付けなどは、背面より行うことができる。
【００３１】
養生工程における一定期間は、植生する植物５の種類、緑化装置１の大きさ、緑化する面積等に基づいて適宜決定することができる。なお、養生工程は、緑化装置１の設置場所とは異なる場所で行うことが好ましい。これにより、設置場所における作業負担を軽減することができ、また、設置場所に植物５を育成するための場所を確保する必要もない。緑化装置１の設置場所とは異なる場所には、植生工場や植物の栽培地が例示される。また、緑化装置１を設置する建物９が建設中の場合には、建物９の工事と並行して養生工程を行うとよい。これにより、建物９の建設後、タイミングよく、植物５が植生された緑化装置１を設置することができる。養生工程が完了すると、運搬工程へ進む。
【００３２】
運搬工程（ステップＳ０２）では、予め植物５が植えられたユニット２とユニット２に接続される連結体３が緑化装置１の設置場所まで運搬される。図７に示すように、例えば、ユニット２がトラックなどの運搬車両の荷台に並べられ、養生工程を行った場所から設置場所まで運搬される。なお、運搬前にユニット２と連結体３とを接続し、組み立てた緑化装置１を運搬するようにしてもよい。運搬工程が完了すると、設置工程へ進む。
【００３３】
設置工程（ステップＳ０３）では、運搬されたユニット２及び連結体３が接続部材４で接続され複数の緑化装置１が組み立てられ、複数の緑化装置１が水平方向と垂直方向に設置される。運搬されたユニット２の植物５や軽量土壌２２に手入れが必要な場合には、ユニット２の背面から作業を行うことができる。運搬後のユニット２に特に手入れが必要ない場合、又は、手入れ作業終了後、ユニット２と連結体３とが接続部材４で固定される。
【００３４】
緑化装置１が組み立てられると、緑化装置１が垂直方向、又は水平方向に設置される。具体的には、図８に示すように、建物９の前面に足場１０が設置され、緑化装置１がクレーン１１で吊り上げられ、緑化装置１が積み重ねられ互いに接続される。最も下に位置する緑化装置１は、座金、及びアンカーボルトを含む固定部材４４によって地面８に固定される。緑化装置１同士は、下側に位置する緑化装置１の上端と上側に位置する緑化装置１の下端とが接続部材４によって固定される。なお、緑化装置１は、建物９と固定することで、より安定性が向上する。図２に示す一例では、建物９の各階のスラブが外側に延長されており、延長されたスラブ９１に、緑化装置１の上端と緑化装置１の下端とが固定部材４４によって接続されている。図２に示す一例では、固定部材４４が、座金、及びアンカーボルトによって構成されている。また、図２に示す一例では、延長されたスラブ９１上に支持部材９２が設置され、支持部材９２の正面と緑化装置１の背面とが面接続され、緑化ユニット２の下部がより安定的に支持されている。図２に示す一例では、１フロアあたり、３つの緑化装置１が連結部材４によって垂直方向に接続され、接続された３つの緑化装置１の下部が固定部材４４によって地面８と固定され、上部が固定部材４４によってス
ラブ９１と固定されている。緑化装置１は、水平方向においては互いに接続されておらず、独立している。なお、緑化装置１は、水平方向においても、互いに接続してもよい。また、支持部材９２は、省略してもよい。また、固定部材４４には、ワイヤや他の既存の金具を用いてもよい。また、フロア毎に緑化装置１を重ねる個数は、フロアの階高、建物９との固定態様等に応じて適宜変更することができる。
【００３５】
図９に示す一例では、建物９の外側に庇９３が設けられ、建物９の壁に緑化装置１の背面を沿わせ、地面８と庇９３で積み重ねられた緑化装置１が挟み込むように固定されている。建物９の壁と緑化装置１とは、固定部材４４によって固定されている。緑化装置１と建物９との接続態様は、上記に限定されない。例えば、建物９の前側に壁と直交し垂直方向に伸びる建物９の前側に突出した壁を形成し、緑化装置１の側面をこの突出した壁に固定部材４４で固定してもよい。これにより、緑化装置１をより安定的に固定することができる。また、緑化装置１の安定性をより向上する為、例えば、緑化装置１の背面にブレースを設けてもよい。また、緑化装置１の前面と背面とを跨ぐようにブレースを設けてもよい。ブレースは、棒状の筋交いの他、プレート状のものでもよい。
【００３６】
＜灌水方法＞
図１０は、実施形態に係る灌水システムの一例を示す。灌水システム６は、電源６１、制御盤６２、電磁弁６３、給水バルブ６４、灌水ホース６６を備える。制御盤６２は、ＣＰＵ、メモリを備え、メモリに格納された制御プログラムに従って、灌水のタイミングや水量を調整する。実施形態では、電源６１、制御盤６２、電磁弁６３が２階に設置されているが、設置場所はこれに限定されない。給水バルブ６４は、給水量を調整する。吸水源には、水道が例示される。吸水源として、雨水などを貯留するタンクを準備し、ポンプでくみ上げるようにしてもよい。電磁弁ユニット２は、制御盤によって制御され、各階へ流す水量を調整する。灌水ホース６６は、給水源から緑化装置１の上部まで延びている。緑化装置１の上部の灌水ホース６６には、微細孔が設けられており、灌水ホース６６内に水が流れると、霧状の水が植物５に噴霧される。
【００３７】
＜効果＞
以上説明した実施形態に係る緑化装置１によれば、ユニット２が軽量土壌２２に植物５が予め植えられ当該植物５が絡む植生面を有することから、設置場所となる建物９において植物５を植える手間を省くことができ、施工性が向上する。また、植物５の植えつけは、熟練度によって完成後の見栄えや植物５の生育に影響を与えることが懸念されるが、実施形態ではユニット２が予め植物５が絡む植生面を有することからそのような懸念も解消される。また、実施形態に係る緑化装置１は、ユニット２が植生面を備えることで設置当初から緑化効果を得ることができ、また、美観にも優れている。また、ユニット２は、設置場所とは異なる場所で組み立てられ、植物５が植えつけられていることから、設置場所における作業負担を軽減することができる。また、設置場所に植物５を育成するための場所を確保する必要もない。また、緑化装置１は、育成中、少なくとも後面を開放した状態とすることができるため、植物５の手入れなどを容易に行うことができる。また、緑化装置１は、下部に空間２５が設けられており、緑化装置１を垂直方向に重ねる際、下側に位置する緑化装置１との接続や、緑化装置１を地面８に固定する際、地面８に設けられた緑化装置１を固定するための固定装置４４との接続が容易となる。その結果、施工性が向上する。更に、緑化装置１は、建物９と固定することで、緑化装置１の安定性が向上する。
【００３８】
以上、本発明の好適な実施形態を説明したが、本発明に係る緑化装置はこれらに限らず、可能な限りこれらの組み合わせを含むことができる。
【符号の説明】
【００３９】
１・・・緑化装置
２・・・ユニット
２０・・・ユニット金網
２１・・・マット
２２・・・軽量土壌
２４・・・突出部
２５・・・空間
３・・・連結体
４・・・接続部材
５・・・植物
６・・・灌水システム
８・・・地面
９・・・建物
【図１】
2014143936.tif 000003
【図２Ａ】
2014143936.tif 000004
【図２Ｂ】
2014143936.tif 000005
【図２Ｃ】
2014143936.tif 000006
【図３】
2014143936.tif 000007
【図４】
2014143936.tif 000008
【図５】
2014143936.tif 000009
【図６】
2014143936.tif 000010
【図７】
2014143936.tif 000011
【図８】
2014143936.tif 000012
【図９】
2014143936.tif 000013
【図１０】
2014143936.tif 000014